(57)【要約】【課題】媒体移動路での磁気情報の不正な取得を抑制することができる磁気記録媒体処理装置を提供すること。【解決手段】磁気記録媒体処理装置１において、妨害磁界発生部４０は、媒体移動路２２に沿って妨害磁界を発生させる。また、妨害磁界制御部は、投入口１１に磁気記録媒体２が投入されてから第１磁気ヘッド２１が磁気信号の検出を開始するまでは妨害磁界発生部４０に、磁気情報の再生に用いられる特定周波数を含む第１周波数域、および特定周波数０を含まない第２周波数域の第１妨害磁界を発生させ、第１磁気ヘッド２１が磁気信号を検出する期間中、妨害磁界発生部４０に特定周波数を含まない周波数域の第２妨害磁界を発生させる。【選択図】図１
2020052613.tif 000002
【特許請求の範囲】
【請求項１】
磁気情報が記録された磁気記録媒体が投入される投入口と、
前記投入口から延在する媒体移動路と、
前記媒体移動路に配置され、前記磁気記録媒体から磁気信号を検出する第１磁気ヘッドと、
前記第１磁気ヘッドから出力されたアナログ信号に含まれる特定周波数の信号に基づいて前記磁気情報を再生する磁気情報再生部と、
前記媒体移動路に沿って妨害磁界を発生させる妨害磁界発生部と、
前記第１磁気ヘッドが前記磁気信号の検出を開始するまでは前記妨害磁界発生部に第１妨害磁界を発生させ、前記第１磁気ヘッドが前記磁気信号を検出する期間中、前記妨害磁界発生部に前記第１妨害磁界と周波数スペクトルが異なる第２妨害磁界を発生させる妨害磁界制御部と、
を有することを特徴とする磁気記録媒体処理装置。
【請求項２】
請求項１に記載の磁気記録媒体処理装置において、
前記第１妨害磁界は、前記特定周波数を含む第１周波数域、および前記特定周波数を含まない第２周波数域の双方にピークが出現する周波数スペクトルを有し、
前記第２妨害磁界は、前記特定周波数を含まない周波数域にピークが出現する周波数スペクトルを有することを特徴とする磁気記録媒体処理装置。
【請求項３】
請求項２に記載の磁気記録媒体処理装置において、
前記第２妨害磁界は、前記第２周波数域にピークが出現する周波数スペクトルを有することを特徴とする磁気記録媒体処理装置。
【請求項４】
請求項１から３までの何れか一項に記載の磁気記録媒体処理装置において、
さらに、前記媒体移動路に沿って移動する前記磁気記録媒体の位置を検出するセンサを備えた媒体位置検出機構を有し、
前記妨害磁界制御部は、前記媒体位置検出機構の検出結果に基づいて、前記妨害磁界発生部が発生する妨害磁界を前記第１妨害磁界と前記第２妨害磁界とに切り換えることを特徴とする磁気記録媒体処理装置。
【請求項５】
請求項１から４までの何れか一項に記載の磁気記録媒体処理装置において、
さらに、前記第１磁気ヘッドより前記媒体移動路の前記投入口側に配置された第２磁気ヘッドと、前記第２磁気ヘッドから出力された信号に基づいて前記磁気記録媒体に磁気情報が記録されているか否かを検出する磁気情報有無検出部と、を有し、
前記妨害磁界制御部は、前記投入口に前記磁気記録媒体が投入された際に、前記妨害磁界発生部に前記第１妨害磁界を断続的に発生させ、
前記磁気情報有無検出部は、前記第１妨害磁界の発生を休止している期間に前記第２磁気ヘッドから出力された信号に基づいて前記磁気記録媒体に前記磁気情報が記録されているか否かを検出することを特徴とする磁気記録媒体処理装置。
【請求項６】
請求項１から５までの何れか一項に記載の磁気記録媒体処理装置において、
前記磁気情報再生部は、前記アナログ信号のうち、前記特定周波数の信号を選択的に通過させるフィルタを備え、前記フィルタを通過した後のアナログ信号に基づいて前記磁気情報を再生することを特徴とする磁気記録媒体処理装置。
【請求項７】
請求項１から５までの何れか一項に記載の磁気記録媒体処理装置において、
前記磁気情報再生部は、前記アナログ信号をデジタル信号に変換した後に前記特定周波数の信号に対応するデジタル信号に基づいて前記磁気情報を再生するフィルタリング処理
を行うことを特徴とする磁気記録媒体処理装置。
【発明の詳細な説明】
【技術分野】
【０００１】
本発明は、磁気情報が記録された磁気記録媒体から磁気情報を再生する磁気記録媒体処理装置に関するものである。
【背景技術】
【０００２】
磁気記録媒体処理装置では、磁気情報が記録された磁気記録媒体が投入口から媒体移動路に沿って移動する際に磁気ヘッドによって磁気情報の再生を行い、さらには、磁気記録媒体に対して磁気情報の書込みを行う。かかる磁気記録媒体処理装置では、磁気記録媒体投入口付近にスキマーを設け、磁気情報を不正に取得する不正行為が行われることがある。このような不正行為への対策として、投入口付近に妨害磁界を発生させ、磁気情報の不正な読み取りを妨害する技術が提案されている（特許文献１参照）。特許文献１に記載の磁気記録媒体処理装置では、妨害磁界を断続的に発生させ、妨害磁界の発生が休止している期間を利用して、投入口付近に設けたプリヘッドによって、磁気記録媒体に磁気情報が記録されているか否かを検出している。
【先行技術文献】
【特許文献】
【０００３】
【特許文献１】特開２０１６−１８４２９２号公報
【発明の概要】
【発明が解決しようとする課題】
【０００４】
しかしながら、特許文献１に記載の技術では、媒体移動路の途中位置にスキマーを配置して、磁気情報を不正に取得する不正行為に対しては有効ではない。従って、媒体移動路に沿って妨害磁界を発生させればよいが、その場合、以下の問題点がある。媒体移動路では、磁気ヘッドによって磁気記録媒体から磁気信号を検出し、磁気信号から磁気情報の再生を行うため、媒体移動路に沿って妨害磁界を発生させると、磁気信号から磁気情報の再生が困難となる。一方、磁気信号から磁気情報の再生を行うのに要する時間は、磁気記録媒体に磁気情報が記録されているか否かを検出するのに要する時間より長いため、磁気信号から磁気情報の再生を行う時間中、妨害磁界の発生を休止すると、セキュリティが低下してしまう。
【０００５】
以上の問題点に鑑みて、本発明の課題は、媒体移動路での磁気情報の不正な取得を抑制することができる磁気記録媒体処理装置を提供することにある。
【課題を解決するための手段】
【０００６】
上記課題を解決するために、本発明に係る磁気記録媒体処理装置は、磁気情報が記録された磁気記録媒体が投入される投入口と、前記投入口から延在する媒体移動路と、前記媒体移動路に配置され、前記磁気記録媒体から磁気信号を検出する第１磁気ヘッドと、前記第１磁気ヘッドから出力されたアナログ信号に含まれる特定周波数の信号に基づいて前記磁気情報を再生する磁気情報再生部と、前記媒体移動路に沿って妨害磁界を発生させる妨害磁界発生部と、前記第１磁気ヘッドが前記磁気信号の検出を開始するまでは前記妨害磁界発生部に第１妨害磁界を発生させ、前記第１磁気ヘッドが前記磁気信号を検出する期間中、前記妨害磁界発生部に前記第１妨害磁界と周波数スペクトルが異なる第２妨害磁界を発生させる妨害磁界制御部と、を有することを特徴とする。
【０００７】
本発明では、第１磁気ヘッドが磁気信号を検出する期間中も、媒体移動路に沿って妨害磁界を発生させるので、媒体移動路にスキマーを配置する等の不正行為が行われても、磁
気情報が不正に取得されることを防止することができる。また、妨害磁界制御部は、第１磁気ヘッドが磁気信号の検出を開始するまでは妨害磁界発生部に第１妨害磁界を発生させ、第１磁気ヘッドが磁気信号を検出する期間中、妨害磁界発生部に第１妨害磁界と周波数スペクトルが異なる第２妨害磁界を発生させるため、第１妨害磁界と第２妨害磁界とにおける周波数スペクトルの差異に対応する信号処理を行えば、磁気情報の再生を適正に行うことができる。
【０００８】
本発明において、前記第１妨害磁界は、前記特定周波数を含む第１周波数域、および前記特定周波数を含まない第２周波数域の双方にピークが出現する周波数スペクトルを有し、前記第２妨害磁界は、前記特定周波数を含まない周波数域にピークが出現する周波数スペクトルを有する態様を採用することができる。かかる態様によれば、磁気情報再生部が、第１磁気ヘッドから出力されたアナログ信号に含まれる特定周波数の信号に基づいて磁気情報を再生するという構成に対応して、第１磁気ヘッドが磁気信号を検出する期間中、特定周波数を含まない周波数域の第２妨害磁界を発生させるため、磁気情報の再生を比較的容易に行うことができる。
【０００９】
本発明において、さらに、前記媒体移動路に沿って移動する前記磁気記録媒体の位置を検出するセンサを備えた媒体位置検出機構を有し、前記妨害磁界制御部は、前記媒体位置検出機構の検出結果に基づいて、前記妨害磁界発生部が発生する妨害磁界を前記第１妨害磁界と前記第２妨害磁界とに切り換える態様を採用することができる。
【００１０】
本発明において、前記妨害磁界制御部は、前記妨害磁界発生部に、前記第２妨害磁界として、前記第２周波数域の妨害磁界を発生させる態様を採用することができる。
【００１１】
本発明において、さらに、前記第１磁気ヘッドより前記媒体移動路の前記投入口側に配置された第２磁気ヘッドと、前記第２磁気ヘッドから出力された信号に基づいて前記磁気記録媒体に磁気情報が記録されているか否かを検出する磁気情報有無検出部と、を有し、前記妨害磁界制御部は、前記投入口に前記磁気記録媒体が投入された際に、前記妨害磁界発生部に前記第１妨害磁界を断続的に発生させ、前記磁気情報有無検出部は、前記第１妨害磁界の発生を休止している期間に前記第２磁気ヘッドから出力された信号に基づいて前記磁気記録媒体に前記磁気情報が記録されているか否かを検出する態様を採用することができる。磁気記録媒体に磁気情報が記録されているか否かの検出に要する時間は、磁気記録媒体から一部の磁気信号を取得すればよいので、磁気情報の有無の検出に要する時間より短い。従って、妨害磁界の発生を休止する期間を設けても、セキュリティの大きな低下となりにくい。それより、妨害磁界の発生を休止する期間に磁気情報の有無を検出する構成であれば、比較的簡素な回路構成で済むという利点の方が大きい。
【００１２】
本発明において、前記磁気情報再生部は、前記アナログ信号のうち、前記特定周波数の信号を選択的に通過させるフィルタを備え、前記フィルタを通過した後のアナログ信号に基づいて前記磁気情報を再生する態様を採用することができる。
本発明において、前記磁気情報再生部は、前記アナログ信号をデジタル信号に変換した後に前記特定周波数の信号に対応するデジタル信号に基づいて前記磁気情報を再生するフィルタリング処理を行う態様を採用してもよい。
【発明の効果】
【００１３】
本発明では、第１磁気ヘッドが磁気信号を検出する期間中も、媒体移動路に沿って妨害磁界を発生させるので、媒体移動路にスキマーを配置する等の不正行為が行われても、磁気情報が不正に取得されることを防止することができる。また、妨害磁界制御部は、第１磁気ヘッドが磁気信号の検出を開始するまでは妨害磁界発生部に第１妨害磁界を発生させ、第１磁気ヘッドが磁気信号を検出する期間中、妨害磁界発生部に第１妨害磁界と周波数
スペクトルが異なる第２妨害磁界を発生させるため、第１妨害磁界と第２妨害磁界とにおける周波数スペクトルの差異に対応する信号処理を行えば、磁気情報の再生を適正に行うことができる。
【図面の簡単な説明】
【００１４】
【図１】本発明の実施形態に係る磁気記録媒体処理装置の構成を模式的に示す説明図である。
【図２】本発明の実施形態に係る磁気記録媒体処理装置の構成を示すブロック図である。
【図３】図１に示す磁気記録媒体処理装置の基本動作を示す説明図である。
【図４】図１に示す妨害磁界発生部から発生する妨害磁界等の説明図である。
【図５】図１に示す第１磁気ヘッドによって磁気記録媒体から磁気情報を再生する工程を模式的に示す説明図である。
【図６】図２に示す磁気情報再生部の説明図である。
【図７】図１に示す第２磁気ヘッドによって磁気記録媒体に磁気情報が記録されているか否かを検出する工程を模式的に示す説明図である。
【発明を実施するための形態】
【００１５】
図面を参照しながら、本発明を適用した磁気記録媒体処理装置１の実施形態を説明する。
【００１６】
（全体構成）
図１は、本発明の実施形態に係る磁気記録媒体処理装置１の構成を模式的に示す説明図である。図１に示す磁気記録媒体処理装置１は、磁気情報が記録されたカード等の磁気記録媒体２が投入口１１から媒体移動路２２に沿って移動する際に第１磁気ヘッド２１によって磁気情報の再生等を行う。従って、第１磁気ヘッド２１は、投入された磁気記録媒体２の磁気データを検知するための磁気センサを有している。本実施形態において、第１磁気ヘッド２１は、磁気記録媒体２に対して磁気情報の書込みも行う。
【００１７】
磁気記録媒体処理装置１は、投入口１１を備えたゲート部１０と、第１磁気ヘッド２１を備えた装置本体２０とを有している。装置本体２０の内部には、投入口１１から延在する媒体移動路２２が形成され、第１磁気ヘッド２１は媒体移動路２２に面して配置されている。ゲート部１０には、投入口１１と、媒体移動路２２のうち、投入口１１側に位置する投入路１２とが設けられている。装置本体２０は、媒体移動路２２に沿って磁気記録媒体２を搬送する搬送機構３０を備えている。また、磁気記録媒体処理装置１は、媒体移動路２２に沿って移動する磁気記録媒体２の位置を検出する複数のセンサ（第１センサ１３１、第２センサ１３２、第３センサ１３３、第４センサ１３４、および第５センサ１３５）を備えた媒体位置検出機構１３を有している。上記のセンサとしては、投入された磁気記録媒体２と接触する検知部材を備えている接触式のセンサ、あるいは光学式のセンサなどが用いられる。
【００１８】
ゲート部１０は装置本体２０の前面から前方Ｙ１に突出している。投入口１１はゲート部１０の前面に設けられ、幅方向に延在する。ゲート部１０は、投入口１１の近傍に、媒体位置検出機構１３の第１センサ１３１と、プリヘッドとしての第２磁気ヘッド１４とを備えている。第１センサ１３１は、投入口１１に磁気記録媒体２が投入されたことを検知する。第２磁気ヘッド１４は、投入された磁気記録媒体２に磁気情報が記録されているか否かを検知するための磁気センサを有している。
【００１９】
ゲート部１０の内側には妨害磁界発生部４０が配置されており、妨害磁界発生部４０は、妨害磁界発生用のコイル４１を備えている。妨害磁界発生部４０は、コイル４１への通
電によって妨害磁界を発生させる。本実施形態において、妨害磁界発生部４０は、投入口１１の外側（投入口１１の前方Ｙ１）に向けて妨害磁界を発生させるとともに、媒体移動路２２に沿って妨害磁界を発生させる。
【００２０】
搬送機構３０は、投入口１１から媒体移動路２２への磁気記録媒体２の取り込み動作、および媒体移動路２２から投入口１１を介しての磁気記録媒体２の排出動作を行わせる。本実施形態において、搬送機構３０は、磁気記録媒体２に接触して磁気記録媒体２を搬送する搬送ローラ３１と、搬送ローラ３１に磁気記録媒体２を押し付ける押圧ローラ３２と、駆動源であるモータ３３と、モータ３３の回転を搬送ローラ３１に伝達する駆動力伝達機構３４とを備えている。搬送ローラ３１は、媒体移動路２２に沿って前後方向Ｙに所定間隔で複数配置される。複数の搬送ローラ３１は各々、押圧ローラ３２と媒体移動路２２を挟んで対向する。駆動力伝達機構３４は、搬送ローラ３１の回転軸に取り付けられたプーリにベルトを架け渡した第１ベルト機構３５と、第１ベルト機構３５のプーリのうちの１つにモータ３３の回転を伝達する第２ベルト機構３６を備えている。なお、駆動力伝達機構３４は、このような構成に限定されるものではなく、適宜変更可能である。
【００２１】
複数の搬送ローラ３１は、搬送ローラ３１Ａ、３１Ｃ、３１Ｂを含む。複数の搬送ローラ３１のうち、最も前方Ｙ１に位置する搬送ローラ３１Ａは、媒体移動路２２の前端に配置される。搬送ローラ３１Ａの後方Ｙ２には、搬送ローラ３１Ｂ、３１Ｃがこの順で配置される。第１磁気ヘッド２１は、搬送ローラ３１Ｂ、３１Ｃの間に配置される。なお、搬送ローラ３１の数は３個以外であってもよく、その配置も図１のような配置に限定されるものではない。また、搬送機構３０として搬送ローラ以外の機構を用いることもできる。例えば、ベルト機構によって磁気記録媒体２を搬送することもできる。搬送機構３０は、モータ３３の回転方向および回転速度を制御することにより、磁気記録媒体２の搬送方向や搬送速度等を切り換えることができる。
【００２２】
（制御系等の構成）
図２は、本発明の実施形態に係る磁気記録媒体処理装置１の構成を示すブロック図である。磁気記録媒体処理装置１は、ＣＰＵ等を備えた制御部５０を備えており、制御部５０は、予めメモリ等に格納されたプログラムに沿って所定の動作を行う。制御部５０は、搬送機構３０を制御する搬送制御部５１と、媒体位置検出機構１３の検出結果に基づいて妨害磁界発生部４０での妨害磁界の発生を制御する妨害磁界制御部５２とを有しており、制御部５０では、媒体位置検出機構１３の検出結果に基づいて、搬送制御部５１および妨害磁界制御部５２等が動作する。例えば、例えば、第１センサ１３１の出力が磁気記録媒体なしを示す信号から磁気記録媒体ありを示す信号に切り換わると、搬送制御部５１は、搬送機構３０のモータ３３に低速回転用の回転速度での駆動を開始させて磁気記録媒体２の搬送を開始し、妨害磁界制御部５２は、妨害磁界発生部４０に指令し、妨害磁界を発生させる。
【００２３】
また、磁気記録媒体処理装置１は、第１磁気ヘッド２１の検出結果に基づいて磁気記録媒体２に記録されている磁気情報の再生を行う磁気情報再生部６６と、第１磁気ヘッド２１による磁気記録媒体２への磁気情報に書き込みを行う磁気情報書き込み部６７とを有している。また、磁気記録媒体処理装置１は、第２磁気ヘッド１４の検出結果に基づいて磁気記録媒体２に磁気情報が記録されているか否かを検出する磁気情報有無検出部６８を有している。従って、本形態では、第２磁気ヘッド１４および磁気情報有無検出部６８によって磁気記録媒体２に磁気情報が記録されていることが検知された際、磁気記録媒体２の搬送およびコイル４１への通電を開始することもできる。かかる構成によれば、第１センサ１３１を設ける必要がないとともに、投入された磁気記録媒体２が磁気記録媒体である場合のみ妨害磁界を発生させることができる。
【００２４】
（基本動作）
図３は、図１に示す磁気記録媒体処理装置１の基本動作を示す説明図である。図１、図２および図３に示すように、本形態の磁気記録媒体処理装置１では、磁気記録媒体２の投入待ち（ステップＳＴ１）の状態で、制御部５０が第１センサ１３１によって磁気記録媒体２の投入を検出すると、制御部５０の搬送制御部５１は、搬送機構３０を制御し、磁気記録媒体２を装置本体２０の内部に取り込む（ステップＳＴ２）。その際、制御部５０は、第２磁気ヘッド１４および磁気情報有無検出部６８により、磁気記録媒体２に磁気情報が記録されているか否かを判定する。磁気記録媒体２に磁気情報が記録されている場合、制御部５０の搬送制御部５１は、搬送機構３０を制御し、磁気記録媒体２をさらに装置本体２０の内部に取り込む（ステップＳＴ３）。
【００２５】
次に、第３センサ１３３が磁気記録媒体２の端を検出すると、第１磁気ヘッド２１が磁気記録媒体２の磁気データを読み取り、磁気情報再生部６６では、磁気情報の再生が行われる（ステップＳＴ４）。かかる動作は、第４センサ１３４が磁気記録媒体２の端を検出するまで行われ、第４センサ１３４が磁気記録媒体２の端を検出すると、第１磁気ヘッド２１による磁気データの読み取りが終了する。
【００２６】
続いて、第５センサ１３５が磁気記録媒体２の端を検出すると、制御部５０の搬送制御部５１は、搬送機構３０を制御して、磁気記録媒体２の搬送を停止し、その後、磁気記録媒体２を投入口１１に向けて搬送する排出動作を行う（ステップＳＴ５）。排出動作において、第２センサ１３２が磁気記録媒体２の端を検出すると、制御部５０は、磁気記録媒体２が投入口１１へ返却されたと判断して、磁気記録媒体２の搬送を停止させる。従って、利用者は、投入口１１から突出している磁気記録媒体２の先端部分を掴んで磁気記録媒体２を抜き取ることができる。また、制御部５０は、第１センサ１３１により磁気記録媒体２の抜き取りが完了したか否かを判定し、磁気記録媒体２の抜き取りが完了したことを検出した時点で一連の動作が終了し、再び、記録媒体待ち（ステップＳＴ１）の状態に戻る。
【００２７】
（妨害磁界の構成）
図４は、図１に示す妨害磁界発生部４０から発生する妨害磁界等の説明図であり、図４には、第１妨害磁界Ｈ１の周波数スペクトラム（ａ）、第２妨害磁界Ｈ２の周波数スペクトラム（ｂ）、第１磁気ヘッド２１での検出磁界の周波数スペクトラム（ｃ）、フィルタ特性（ｄ）、および磁気情報に対応するアナログ信号の周波数スペクトラム（ｅ）が模式的に示されている。図５は、図１に示す第１磁気ヘッド２１によって磁気記録媒体２から磁気情報を再生する工程を模式的に示す説明図であり、上段には妨害磁界を模式的に示し、下段には第１磁気ヘッド２１を介して検出される信号を模式的に示してある。図６は、図２に示す磁気情報再生部６６の説明図である。なお、図４、図５、および後述する図７に示す妨害磁界の周波数スペクトラム等は、あくまで一例であって、図４、図５、および図７に示す態様に限定されるものではない。
【００２８】
本形態では、磁気記録媒体処理装置１において、図３を参照して説明した動作を行った際、媒体移動路２２にスキマーが配置されていると、磁気記録媒体２から磁気情報が不正に取得されてしまうことから、制御部５０の妨害磁界制御部５２は、妨害磁界発生部４０を制御して、図３に示すステップＳＴ２〜ＳＴ５の期間は、以下に説明する妨害磁界を発生させる。
【００２９】
本形態において、磁気情報再生部６６は、第１磁気ヘッド２１から出力されたアナログ信号に含まれる特定周波数の信号に基づいて磁気情報を再生する。ここで、磁気情報に対応するアナログ信号の特定周波数ｆ０は、例えば図４に示す周波数スペクトラム（ｅ）において第１周波数域ｆ１に出現する。本実施形態では、磁気記録媒体２に磁気情報がＦ２
Ｆフォーマットで記録されていることから、１ｋＨｚから４ｋＨｚまでの第１周波数域ｆ１に２つの特定周波数ｆ０の信号が含まれている。
【００３０】
かかる構成に対応して、妨害磁界制御部５２は、投入口１１に磁気記録媒体２が投入されてから第１磁気ヘッド２１が磁気信号の検出を開始するまでのステップＳＴ２、ＳＴ３（図５に示す期間Ｔ１１）では、妨害磁界発生部４０に第１妨害磁界Ｈ１を発生させる。第１妨害磁界Ｈ１は、図４に示す周波数スペクトラム（ａ）から分かるように、特定周波数ｆ０を含む第１周波数域ｆ１、特定周波数ｆ０を含まない第２周波数域ｆ２の双方にピークが出現する周波数スペクトルを有している。
【００３１】
また、妨害磁界制御部５２は、ステップＳＴ４において第１磁気ヘッド２１が磁気信号を検出する期間中（図５に示す期間Ｔ１２）、妨害磁界発生部４０に、第１妨害磁界Ｈ１と周波数スペクトルが異なる第２妨害磁界Ｈ２を発生させる。本実施形態において、第２妨害磁界Ｈ２は、特定周波数ｆ０を含まない周波数域にピークが出現する周波数スペクトルを有している。より具体的には、図４に示す周波数スペクトラム（ｂ）から分かるように、妨害磁界制御部５２は、第２妨害磁界Ｈ２として、第１妨害磁界Ｈ１に含まれていた第２周波数域ｆ２の妨害磁界を発生させる。
【００３２】
従って、第１磁気ヘッド２１が磁気信号を検出した際、図４に示す周波数スペクトラム（ｃ）から分かるように、第１磁気ヘッド２１は、磁気情報に対応する特定周波数ｆ０の信号が、第２妨害磁界Ｈ２の第２周波数域ｆ２の第２妨害磁界Ｈ２とともに検出されることになる。
【００３３】
但し、磁気情報再生部６６は、図６に示すように、第１磁気ヘッド２１から出力されるアナログ信号のうち、特定周波数ｆ０の信号を選択的に通過させるフィルタ特性（図４に示すフィルタ特性（ｄ））を備えたフィルタ６６１を有しており、磁気情報再生部６６は、フィルタ６６１を通過した後のアナログ信号（図４に示す周波数スペクトラム（ｅ））に基づいて磁気情報を再生する。より具体的には、磁気情報再生部６６は、フィルタ６６１を通過した後のアナログ信号をデジタル信号に変換するＡ／Ｄコンバータ６６２と、Ａ／Ｄコンバータ６６２から出力されたデジタル信号に基づいて磁気情報を復調する復調部６６３とを有している。従って、磁気情報再生部６６は、第１磁気ヘッド２１が磁気信号を検出する際、第２妨害磁界Ｈ２（第２周波数域ｆ２）が出力されている場合でも、磁気情報を再生することができる。
【００３４】
本形態では、第１磁気ヘッド２１が磁気信号を検出した後、磁気記録媒体２を排出するまでステップＳＴ５（図５に示す期間Ｔ１３）では、妨害磁界発生部４０に第１妨害磁界Ｈ１を発生させる。
【００３５】
なお、第１妨害磁界Ｈ１の第２周波数域ｆ２における周波数スペクトラムと第２妨害磁界Ｈ２の第２周波数域ｆ２における周波数スペクトラムとが同一の態様、あるいは異なる態様のいずれであってもよい。また、第１妨害磁界Ｈ１、および第２妨害磁界Ｈ２は、時間が経過しても周波数スペクトラムや強度が同一の態様、あるいは時間の経過とともに周波数スペクトラムや強度が変化する態様のいずれであってもよい。また、磁気記録媒体２の投入の有無にかかわらず、第１妨害磁界Ｈ１を常時、発生させる態様であってもよい。
【００３６】
（第２磁気ヘッド１４による検出工程）
図７は、図１に示す第２磁気ヘッド１４によって磁気記録媒体２に磁気情報が記録されているか否かを検出する工程を模式的に示す説明図であり、上段には妨害磁界を模式的に示し、下段には第１磁気ヘッド２１を介して検出される信号を模式的に示してある。図７に示すように、ステップＳＴ２において、第２磁気ヘッド１４によって磁気記録媒体２に
磁気情報が記録されているか否かを検出する工程において、妨害磁界制御部５２は、第１妨害磁界Ｈ１を断続的に発生させる。従って、磁気情報有無検出部６８は、第１妨害磁界Ｈ１が発生している期間Ｔ１、Ｔ３、Ｔ５では第２磁気ヘッド１４による検出を休止し、第１妨害磁界Ｈ１の発生が休止している期間Ｔ２、Ｔ４に第２磁気ヘッド１４による検出を実施する。
【００３７】
（本形態の主な効果）
以上説明したように、本形態の磁気記録媒体処理装置１では、投入口１１に磁気記録媒体２が投入された後、第１磁気ヘッド２１が磁気信号を検出する期間中も、媒体移動路２２に沿って第１妨害磁界Ｈ１を発生させるので、媒体移動路２２にスキマーを配置する等の不正行為が行われても、磁気情報が不正に取得されることを防止することができる。また、磁気情報再生部６６が、第１磁気ヘッド２１から出力されたアナログ信号に含まれる特定周波数ｆ０の信号に基づいて磁気情報を再生するという構成に対応して、第１磁気ヘッド２１が磁気信号を検出する期間中、特定周波数ｆ０を含まない周波数域の第２妨害磁界Ｈ２を発生させるため、磁気情報の再生を適正に行うことができる。
【００３８】
また、第１磁気ヘッド２１より媒体移動路２２の投入口１１側では、第２磁気ヘッド１４によって、磁気記録媒体２に磁気情報が記録されているか否かが検出される。かかる検出の際には、妨害磁界発生部４０は、第１妨害磁界Ｈ１を断続的を発生させ、磁気情報有無検出部６８は、第１妨害磁界Ｈ１の発生を休止している期間に第２磁気ヘッド１４から出力された信号に基づいて磁気記録媒体２に磁気情報が記録されているか否かを検出する。磁気記録媒体２に磁気情報が記録されているか否かの検出に要する時間は、磁気記録媒体２から一部の磁気信号を取得すればよいので、磁気情報の有無の検出に要する時間より短い。従って、第１妨害磁界Ｈ１の発生を休止する期間を設けても、セキュリティの大きな低下となりにくい。それより、第１妨害磁界Ｈ１の発生を休止する期間に磁気情報の有無を検出する構成であれば、比較的簡素な回路構成で済むという利点の方が大きい。
【００３９】
［他の実施形態］
上記実施形態では、磁気情報再生部６６がフィルタ６６１を通過した後のアナログ信号に基づいて磁気情報を再生する態様であったが、磁気情報再生部６６がソフト的にフィルタリング処理を行う態様を採用してもよい。すなわち、磁気情報再生部６６は、アナログ信号をデジタル信号に変換した後に特定周波数ｆ０の信号に対応するデジタル信号に基づいて磁気情報を再生する採用を採用してもよい。
【００４０】
また、上記実施形態では、第２妨害磁界Ｈ２が、特定周波数ｆ０を含まない周波数域にピークが出現する周波数スペクトルを有していたが、第２妨害磁界Ｈ２と第１妨害磁界Ｈ１とにおいて、周波数スペクトルが異なっていれば、第２妨害磁界Ｈ２が、特定周波数ｆ０を含む周波数域にピークが出現する周波数スペクトルを有していてもよい。この場合も、第１妨害磁界Ｈ１と第２妨害磁界Ｈ２とにおける周波数スペクトルの差異に対応する信号処理を行えば、磁気情報の再生を適正に行うことができる。例えば、磁気情報再生部６６において、特定周波数ｆ０を含む第１周波数域ｆ１に適正な閾値を設定し、第２妨害磁界Ｈ２に起因する信号を低減させれば、磁気情報の再生を適正に行うことができる。
【００４１】
また、第１妨害磁界Ｈ１についても、図４に示す第２妨害磁界Ｈ２のように、特定周波数ｆ０を含まない周波数域にピークが出現する周波数スペクトルを有している態様であってもよい。
【符号の説明】
【００４２】
１…磁気記録媒体処理装置、２…磁気記録媒体、１０…ゲート部、１１…投入口、１２…投入路、１３…媒体位置検出機構、１４…第２磁気ヘッド、２１…第１磁気ヘッド、２０
…装置本体、２２…媒体移動路、３０…搬送機構、３１…搬送ローラ、４０…妨害磁界発生部、４１…コイル、５０…制御部、５１…搬送制御部、５２…妨害磁界制御部、６６…磁気情報再生部、６８…磁気情報有無検出部、６６１…フィルタ、Ｈ１…第１妨害磁界、Ｈ２…第２妨害磁界、ｆ０…特定周波数、ｆ１…第１周波数域、ｆ２…第２周波数域
【図１】
2020052613.tif 000003
【図２】
2020052613.tif 000004
【図３】
2020052613.tif 000005
【図４】
2020052613.tif 000006
【図５】
2020052613.tif 000007
【図６】
2020052613.tif 000008
【図７】
2020052613.tif 000009